(57)【要約】      （修正有）【課題】コンパクト形化粧ケースの提供。【解決手段】化粧ケース１はカバー１０、本体２０、ベース３０が組み合わされてなる。該カバー内部に鏡１１及び回転軸１２が嵌め込まれ、本体に化粧品２１２及び穿孔２２が設けられ、ベース内部に化粧用３１１具及び円柱穿孔３２１が設けられ、カバー、本体、ベースが組み合わされた後に、カバーの回転軸により本体を逆時計方向に回して開放作用を達成でき、消費者の使用に便利である。本考案の化粧ケースは三次元空間形態の設計とされ、内部空間が十分利用されるほか、属性の異なる化粧用具を収容でき、化粧ケースが良好な使用効果を具備するものとされている。【選択図】図２
0003106735.tif 000002
【実用新案登録請求の範囲】
【請求項１】
三次元空間形態を有してカバー、本体、ベースで構成された円形のコンパクト形化粧ケースであり、
該カバーの内部に鏡と回転軸が設けられ、該回転軸の末端に凸環が設けられ、
該本体の表面に凹溝と穿孔が設けられ、該凹溝の内部にトレイが設けられ、該トレイ内部に化粧品が収容され、
該ベースの内部は収容空間とされ、該収容空間に円柱が設けられ、該収容空間内に化粧用具が収容され、該円柱に穿孔が設けられ、
該カバー、本体、ベースが組み合わされた後に、カバーの回転軸の凸環により、それが本体、ベースと確実に組み合わされることを特徴とする、コンパクト形化粧ケース。
【考案の詳細な説明】
【技術分野】
【０００１】
本考案はコンパクト形化粧ケースに係り、特に三次元空間形態を具えた化粧ケースの設計に関する。
【背景技術】
【０００２】
風貌や外観が重視される環境にあって、行為のほか化粧が風貌の表現手段となっている。女性は常に化粧により顔の欠点を修飾したり不足の部分を強化して個人の特質及び美しさを表現している。女性の化粧品には、ファンデーション、口紅、頬紅、アイシャドー等がある。現代社会の化粧年齢は徐々に下降しており、若年化の傾向にあり、化粧品の需要量もまた増している。このため化粧品市場は相当に大きく、業者は市場を占有するために化粧品品質を向上するだけでなく、商品の外観造形、空間形態、内容物、体積及び実用性にも工夫をこらしている。
【０００３】
図７に示されるように、周知のコンパクト形化粧ケース４０のほとんどは金属製品とされ、重量は比較的重く、且つ四角形の外観を呈し、全体として単調で重たく、新鮮さがなく、良好な視覚効果を消費者に与えることができない。さらにその係合部分は雄雌の嵌合が使用され、コンパクトが落下する時、コンパクト形化粧ケース４０のケース、化粧品４１及び係合部分４２はいずれも損壊する。周知のコンパクト形化粧ケース４０の重量は比較的重く、更に重力の加速度が加わり、損壊面積は大きくなる。且つ周知のコンパクト形化粧ケース４０には化粧工具、鏡が付加されず、化粧の時に別に用意しなければならない。
【考案の開示】
【考案が解決しようとする課題】
【０００４】
本考案は周知のコンパクト形化粧ケースの使用上の欠点、外観形状の単調さ、鏡、化粧用具を収容できない点を鑑み、良好な使用効果を有して使用者の要求に符合するようにしたコンパクト形化粧ケースを提供することを主要な目的としている。
【課題を解決するための手段】
【０００５】
請求項１の考案は、三次元空間形態を有してカバー、本体、ベースで構成された円形のコンパクト形化粧ケースであり、
該カバーの内部に鏡と回転軸が設けられ、該回転軸の末端に凸環が設けられ、
該本体の表面に凹溝と穿孔が設けられ、該凹溝の内部にトレイが設けられ、該トレイ内部に化粧品が収容され、
該ベースの内部は収容空間とされ、該収容空間に円柱が設けられ、該収容空間内に化粧用具が収容され、該円柱に穿孔が設けられ、
該カバー、本体、ベースが組み合わされた後に、カバーの回転軸の凸環により、それが本体、ベースと確実に組み合わされることを特徴とする、コンパクト形化粧ケースとしている。
【考案の効果】
【０００６】
本考案は一種のコンパクト形化粧ケースを提供することを目的とし、それは、カバーの回転軸によりカバー、本体、ベースが開閉作用を形成可能とされ、消費者が使用時にその使用の部分により化粧ケースを回して開くことができ、使用に便利とされ、三次元空間形態の設計により、内部空間を十分に利用できるほか、属性の異なる物品を区分放置でき、これにより内部を良好に管理できるものとされる。本考案の化粧ケースは材質が軽く、体積が小さく、コンパクトで場所をとらず、更に鏡と化粧用具を収容し、消費者が鏡と化粧用具を別に用意する必要がなく、消費者が携帯して外出使用するのに便利である。更に本考案の化粧ケースは円形コンパクト型の設計とされ、従来の四角形の化粧ケースの外形とは異なり、全体が円弧曲線を呈し、現在の流線形の設計傾向に符合し、現代的な外観を有して広く消費者に受け入れられる。
【考案を実施するための最良の形態】
【０００７】
本考案のコンパクト形化粧ケースは円形を呈し、カバー、本体、ベースが組み合わされてなる。該カバー内部に鏡及び回転軸が設けられ、回転軸の末端に凸環が設けられている。該本体の表面に凹溝と穿孔が設けられ、該凹溝内部にトレイが設けられ、トレイ内部に化粧品が設けられる。該ベース内部は収容空間とされ、その所定の位置に円柱が設けられている。該収容空間内に化粧用具が収容され、円柱に穿孔が設けられている。カバー、本体、ベースが組み合わされた後、カバーの回転軸により本体を逆時計方向に回して、化粧ケースを開放することができる。
【実施例１】
【０００８】
図１、２、３は本考案のコンパクト形化粧ケースの立体外観図、立体分解図及び実施例図である。
【０００９】
本考案のコンパクト形化粧ケース１は三次元空間形態を具えた化粧ケースであり、それはカバー１０、本体２０、ベース３０が組み合わされてなる。該カバー１０内部には鏡１１と回転軸１２が設けられている。該回転軸１２の末端には凸環１２１が設けられている。該本体２０の表面には凹溝２１と穿孔２２が設けられている。該凹溝２１内部にトレイ２１１が設けられ、トレイ２１１の内部に化粧品２１２が収容される。該ベース３０の内部は収容空間３１とされ、該収容空間３１に円柱３２が設けられている。該収容空間３１内に化粧用具３１１が収容され、円柱３２に穿孔３２１が設けられている。カバー１０、本体２０、ベース３０が組み合わされた後、カバー１０の回転軸１２により本体２０を逆時計方向に回すことで化粧ケース１を開放することができる。
【００１０】
組合せ時には、カバー１０の回転軸１２が本体２０の穿孔２２に対応し挿入され、その後、ベース３０の円柱３２の穿孔３２１にカバー１０の回転軸１２が挿入され、カバー１０、本体２０、ベース３０が嵌挿された後、カバー１０の回転軸１２の凸環１２１によりカバー１０が本体２０とベース３０に確実に組み合わされ、化粧ケース１が完成する。
【００１１】
組合せ完成後に、化粧ケース１はカバー１０の回転軸１２によりカバー１０、本体２０及びベース３０が左右方向に旋回可能とされ、これにより開閉作用が達成される。
【００１２】
図４、５、６は本考案のコンパクト形化粧ケースの使用状態を示す。
【００１３】
消費者が化粧ケース１を使用して化粧する時は、その付属の化粧用具３１１に化粧品２１２を組み合わせて使用できる。化粧ケース１を開放する時は、カバー１０の回転軸１２により本体２０を逆時計方向に回せば開放効果を達成でき、消費者が化粧ケース１を使用できる。消費者が化粧完成後に、カバー１０の回転軸１２で本体２０を駆動して時計回りに回すことで、閉合の目的を達成できる。消費者が化粧の効果を見たいときは、化粧ケース１のカバー１０に設置された鏡１１により確認できる。
【００１４】
化粧ケース１は異なる材質を用いて製造可能であり、その外形は異なる規格の形状、例えば幾何図形、多角形とされうる。カバー１０の鏡１１の形状もまた幾何図形、多角形とされうる。本体２０の表面の凹溝２１の形状もまた幾何図形、多角形の設計とされうる。凹溝２１内部に置かれるトレイ２１１、化粧品２１２の形状は凹溝２１の形状に合わせて変化する。トレイ２１１内部には異なる性質の化粧品２１２を収容可能で、トレイの材質はアルミニウムとされうる。ベース３０の収容空間３１には異なる機能の化粧用具３１１を収容することができる。
【００１５】
総合すると、本考案は以下のような長所を有している。
１．化粧ケースはカバーの回転軸によりカバー、本体、ベースに開閉作用を達成させており、消費者が使用する時、カバーを逆時計方向に回せば化粧ケースを開放でき、このような方法は使用に便利である。
２．化粧ケースが三次元空間形態の設計とされ、内部空間を十分に利用できるほか、属性の異なる化粧用具を収容でき、化粧ケースが良好な使用効果を有する。
３．化粧ケースの材質が軽く、体積が小さく、コンパクトで場所を取らず、更に化粧ケースに鏡及び化粧用具が付加されているため、消費者が自分で別に鏡と化粧用具を用意する必要がなく、携帯して外出使用するのに便利である。
４．化粧ケースが円形設計とされ、全体が従来の四角形の化粧ケースの外形とは異なり、全体が円弧曲線を呈し、現在の流線形の設計傾向に符合し、現代的な外観を有して広く消費者に受け入れられる。
５．化粧ケースはカバーの回転軸を逆時計方向に回すことで開放され、ゆえに化粧ケースを不注意から落としてもその開放方式に影響を与えない。
【００１６】
総合すると、本考案の構造、特徴は使用効果が極めて良好な円形のコンパクト形化粧ケースを提供し、並びにそれは実用価値と進歩性を具備するものであり、全体の組合せ及び構造はこれまでにないものであり、実用新案登録の要件を具備している。
【００１７】
なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】本考案のコンパクト形化粧ケースの立体外観図である。
【図２】本考案のコンパクト形化粧ケースの立体分解図である。
【図３】本考案のコンパクト形化粧ケースの実施例図である。
【図４】本考案のコンパクト形化粧ケースの使用状態図（一）である。
【図５】本考案のコンパクト形化粧ケースの使用状態図（二）である。
【図６】本考案のコンパクト形化粧ケースの使用状態図（三）である。
【図７】周知のコンパクト形化粧ケースの立体外観図である。
【符号の説明】
【００１９】
１  化粧ケース                    １０  カバー
１１  鏡                          １２  回転軸
１２１  凸環                      ２０  本体
２１  凹溝                        ２１１  トレイ
２１２  化粧品                    ２２  穿孔
３０  ベース                      ３１  収容空間
３１１  化粧用具                  ３２  円柱
３２１  穿孔
４  コンパクト                    ４１  化粧品
４２  係合部分
【図１】
0003106735.tif 000003
【図２】
0003106735.tif 000004
【図３】
0003106735.tif 000005
【図４】
0003106735.tif 000006
【図５】
0003106735.tif 000007
【図６】
0003106735.tif 000008
【図７】
0003106735.tif 000009